(57)【要約】【課題】シャッタ羽根を駆動するばねの付勢力およびそのチャージ力を小さくする。【解決手段】シャッタ装置は、複数のシャッタ羽根１０〜１２を重畳させる第１の位置とそれらを展開させる第２の位置とに移動する第１の駆動部材６，１８と、第１の駆動部材を第１から第２の位置に駆動する第１の付勢力を発生する第１のばね２０と、第１の駆動部材の第１の位置での保持とその解除が可能な保持部材９と、第２の位置に移動した第１の駆動部材を第１の位置に移動させるように第３から第４の位置に移動する第２の駆動部材３と、第２の駆動部材を第３から第４の位置に駆動する第２の付勢力を発生する第２のばねとを有する。第２のばねはベース部材と第２の駆動部材との間で第２の付勢力を発生し、第１のばねは第１および第２の駆動部材の間で第１の付勢力を発生する。【選択図】図３
2012150388.tif 000002
【特許請求の範囲】
【請求項１】
光通過開口が形成されたベース部材と、
重畳および展開して前記光通過口を開閉する複数のシャッタ羽根と、
前記複数のシャッタ羽根が取り付けられ、該複数のシャッタ羽根を重畳させる第１の位置と前記複数のシャッタ羽根を展開させる第２の位置との間で移動する第１の駆動部材と、
前記第１の駆動部材を前記第１の位置から前記第２の位置に駆動するための第１の付勢力を発生する第１のばねと、
前記第１の駆動部材の前記第１の位置での保持および該保持の解除が可能な保持部材と、
該保持部材による保持が解除されて前記第１の付勢力により前記第２の位置に移動した前記第１の駆動部材を該第２の位置から前記第１の位置に移動させるように、第３の位置から第４の位置に移動する第２の駆動部材と、
該第２の駆動部材を前記第３の位置から前記第４の位置に駆動するための第２の付勢力を発生する第２のばねとを有し、
前記第２のばねは、前記ベース部材と前記第２の駆動部材との間で前記第２の付勢力を発生し、
前記第１のばねは、前記第１の駆動部材と前記第２の駆動部材との間で前記第１の付勢力を発生することを特徴とするシャッタ装置。
【請求項２】
前記保持部材に前記第１の駆動部材の前記第１の位置での保持を行わせるとともに、前記第１および第２のばねをチャージしながら前記第２の駆動部材を前記第４の位置から前記第３の位置に移動させるセット部材を有することを特徴とする請求項１に記載のシャッタ装置。
【請求項３】
請求項１又は２に記載のシャッタ装置と、
該シャッタ装置の前記光通過開口を通過した光により形成された被写体像を光電変換する撮像素子と、
該撮像素子からの出力信号を用いて生成された画像を表示する表示素子とを有することを特徴とするカメラ。
【発明の詳細な説明】
【技術分野】
【０００１】
本発明は、デジタルスチルカメラに用いられるシャッタ装置、特にフォーカルプレンシャッタに関する。
【背景技術】
【０００２】
デジタルカメラは、ＣＣＤセンサやＣＭＯＳセンサ等の撮像素子により被写体像を光電変換して得られる画像を、ＬＣＤ等のモニタに表示してユーザに観察させる、いわゆるライブビュー表示機能を有するものが多い。一眼レフカメラのように、先幕と後幕とをそれらの間にスリットを形成するように走行させて撮像素子の露光量を制御するシャッタ装置（フォーカルプレンシャッタ）を搭載しているデジタルカメラでは、ライブビュー表示を行っている状態では先幕と後幕のいずれをも重畳状態としてシャッタを開ける。そして、ユーザによって撮影が指示されると、一旦先幕を展開させてシャッタを閉じ、そこから先幕と後幕を走行させて撮像素子の露光を行う。
【０００３】
このような先幕の動作を可能とするフォーカルプレンシャッタとして、特許文献１にて開示されたものがある。このシャッタでは、先幕を駆動する機構を、先幕に連結された第１駆動部材と、該第１駆動部材を先幕の展開方向に付勢するセットばねと、撮影時に駆動ばねからの付勢力によって移動され、第１駆動部材を先幕の重畳方向に駆動する第２駆動部材とを備えている。ライブビュー表示状態では、第１駆動部材を先幕が重畳状態となる位置に保持したまま、モータを駆動して駆動ばねをチャージしながら第２駆動部材を露光時の駆動開始位置にセットする。このとき、セットばねはチャージされている。
【０００４】
そして、撮影が指示されると、第１駆動部材の保持が解除され、セットばねの付勢力によって第１駆動部材が駆動されて先幕が一旦展開する（シャッタが閉じる）。続いて、駆動ばねの付勢力によって第２駆動部材が駆動されると、該第２の駆動部材を介して第１駆動部材が駆動され、先幕が重畳状態に向かって走行する。
【先行技術文献】
【特許文献】
【０００５】
【特許文献１】特開２００７−２９８５４４号公報
【発明の概要】
【発明が解決しようとする課題】
【０００６】
特許文献１にて開示されたシャッタは、駆動ばねの付勢力によって第２の駆動部材とともに第１駆動部材を駆動する際にセットばねがチャージされる構成を有する。このため、駆動ばねには、第１駆動部材および先幕を所定の速度で駆動するために本来必要な付勢力に、セットばねをチャージするための付勢力を加えた大きな付勢力が必要となる。この結果、駆動ばねをチャージするために必要なモータの駆動力も大きくなり、モータの大型化や消費電力の増加につながる。
【０００７】
本発明は、ライブビュー表示のための開状態からのシャッタ動作が可能なフォーカルプレンシャッタであって、シャッタ羽根を駆動するばねに必要な付勢力およびこれをチャージするために必要な力を小さくすることができるシャッタ装置およびこれを備えたカメラを提供する。
【課題を解決するための手段】
【０００８】
本発明の一側面としてのシャッタ装置は、光通過開口が形成されたベース部材と、重畳および展開して光通過口を開閉する複数のシャッタ羽根と、複数のシャッタ羽根が取り付けられ、該複数のシャッタ羽根を重畳させる第１の位置と該複数のシャッタ羽根を展開させる第２の位置との間で移動する第１の駆動部材と、第１の駆動部材を第１の位置から第２の位置に駆動するための第１の付勢力を発生する第１のばねと、第１の駆動部材の第１の位置での保持および該保持の解除が可能な保持部材と、該保持部材による保持が解除されて第１の付勢力により第２の位置に移動した第１の駆動部材を該第２の位置から第１の位置に移動させるように、第３の位置から第４の位置に移動する第２の駆動部材と、第２の駆動部材を第３の位置から第４の位置に駆動するための第２の付勢力を発生する第２のばねとを有する。そして、第２のばねは、ベース部材と第２の駆動部材との間で前記第２の付勢力を発生し、第１のばねは、第１の駆動部材と第２の駆動部材との間で第１の付勢力を発生することを特徴とする。
【発明の効果】
【０００９】
本発明では、第１の駆動部材を駆動するための第１のばねが第１の駆動部材と第２の駆動部材との間で第１の付勢力を発生するように設けられているので、第１の駆動部材およびシャッタ羽根とともに第２の駆動部材を駆動するための第２のばねの付勢力は、第１のばねに影響されない。言い換えれば、第２のばねの付勢力に、第１のばねをチャージするための付勢力を含ませなくてもよい。したがって、本発明によれば、シャッタ羽根が重畳した開状態からのシャッタ動作が可能なフォーカルプレンシャッタであって、シャッタ羽根を展開状態から重畳状態に駆動するための第２のばねの付勢力を小さくすることができるとともに、該第２のばねをチャージする力も小さくすることができる。
【図面の簡単な説明】
【００１０】
【図１】本発明の実施例であるフォーカルプレンシャッタ（開状態）を被写体側から見た図。
【図２】図１のフォーカルプレンシャッタを撮像素子側から見た図。
【図３】図１の一部を拡大した図。
【図４】実施例のフォーカルプレンシャッタ（露光開始状態）を被写体側から見た図。
【図５】実施例のフォーカルプレンシャッタ（露光終了状態）を被写体側から見た図。
【図６】実施例のフォーカルプレンシャッタに用いられる先幕主駆動部材の斜視図。
【図７】実施例のフォーカルプレンシャッタに用いられる先幕副駆動部材の斜視図。
【図８】実施例のフォーカルプレンシャッタに用いられる抑止部材の斜視図。
【図９】実施例のフォーカルプレンシャッタを備えたカメラを示す図。
【図１０】実施例のフォーカルプレンシャッタの側面図。
【発明を実施するための形態】
【００１１】
以下、本発明の実施例について図面を参照しながら説明する。
【００１２】
まず図９には、本発明の実施例であるフォーカルプレンシャッタを備えたデジタルスチルカメラを示している。このデジタルスチルカメラは、撮影レンズの交換が可能な一眼レフカメラであってもよいし、撮影レンズが一体的に設けられて交換ができないレンズ一体型カメラであってもよい。
【００１３】
図９において、１０１は撮影レンズであり、不図示の被写体からの光に光学像である被写体像を形成させる。１０２はクイックリターンミラー（ハーフミラー）であり、図中に点線で示したダウン位置にて撮影レンズ１０１からの光の一部を反射し、他の一部を透過させる。また、クイックリターンミラー１０２は、図中に実線で示したアップ位置にて撮影レンズ１０１からの光に対して退避する。ダウン位置にあるクイックリターンミラー１０２によって反射された光は、ペンタプリズム１０３を介して接眼レンズ１０４に導かれる。ユーザは接眼レンズ１０４を通して被写体像を観察することができる。
【００１４】
１０５は撮像素子であり、ＣＣＤセンサやＣＭＯＳセンサ等により構成された光電変換素子である。１０６はシャッタ装置としてのフォーカルプレンシャッタ（以下、単にシャッタという）であり、それぞれ複数のシャッタ羽根により構成される先幕１０６ａと後幕１０６ｂを走行させて撮像素子１０５の露光量を制御する。先幕１０６ａと後幕１０６ｂのそれぞれは、複数のシャッタ羽根の重畳および展開によってシャッタ開口（光通過口）を開いたり閉じたりすることができる。
【００１５】
ダウン位置にあるクイックリターンミラー１０２を透過した光は、先幕１０６ａおよび後幕１０６ｂをそれぞれ重畳させて開けられたシャッタ１０６のシャッタ開口を通過して撮像素子１０５に到達する。撮像素子１０５は、到達した光により形成された被写体像を光電変換する。画像処理回路を含むコントローラ１０７は、撮像素子１０５からの出力信号を用いて表示画像データを生成する。１０８は背面モニタであり、ＬＣＤ等の表示素子により構成されている。コントローラ１０７は、生成した表示画像データを背面モニタ１０８に表示させる。これにより、ユーザは、撮影前に、背面モニタ７に表示された画像を通して被写体を観察することができる。このような機能をライブビュー表示機能という。
【００１６】
一方、ユーザによって不図示のレリーズスイッチが操作され、撮影が指示されると、コントローラ１０７はクイックリターンミラー１０２をダウン位置からアップ位置に移動させた後、先幕１０６ａを展開させて一旦シャッタ１０６を閉じる。続いて、先幕１０６ａの重畳状態に向けた走行を開始させ、それに所定時間遅れて後幕１０６ｂの展開状態に向けた走行を開始させる。走行中は先幕１０６ａと後幕１０６ｂとの間にスリットが形成され、該スリットを通過した光により撮像素子１０５が露光される。撮像素子１０５は、スリットを通過した光により形成された被写体像を光電変換し、コントローラ１０７は該撮像素子１０５からの出力信号を用いて撮影画像データを生成する。コントローラ１０７は、撮影画像データを不図示の記録媒体（半導体メモリ等）に記録したり、背面モニタ１０８に所定時間の間表示したりする。
【００１７】
図１〜図５および図１０には、シャッタ１０６の構成を詳しく示している。図１〜図３はいずれも、先幕および後幕がそれぞれシャッタ開口よりも下側および上側にて重畳された開状態のシャッタ１０６を示している。シャッタ１０６をこの開状態とすることで、ライブビュー表示を行うことができる。図１０には、先幕および後幕を駆動するための付勢力を発生する先幕駆動ばね２１および後幕駆動ばね２２をシャッタ１０６の側方から見て示している。開状態では、これら先幕駆動ばね２１と後幕駆動ばね２２はそれぞれチャージされている。なお、図１はシャッタ１０６を被写体側から見た図であり、図２はシャッタ１０６を撮像素子側から見た図である。図３には、図１のシャッタ１０６の一部を拡大して示している。
【００１８】
また、図４には、先幕が展開してシャッタ開口を閉じ、後幕がシャッタ開口よりも上側にて重畳された露光開始前の閉状態（露光開始状態ともいう）のシャッタ１０６の一部を拡大して示している。さらに、図５には、図４の露光開始状態から先幕が走行してシャッタ開口よりも下側にて重畳し、後幕が展開してシャッタ開口を閉じた露光終了後の閉状態（露光終了状態ともいう）のシャッタ１０６の一部を拡大して示している。図４および図５のいずれも、シャッタ１０６を被写体側から見て示している。
【００１９】
まず、主として図１〜図３を用いてシャッタ１０６の構成を説明する。ベース部材としてのシャッタ地板１は、そのほぼ中央に、長方形状に形成されたシャッタ開口部（光通過口）１ａを有する。また、図示していないが、シャッタ地板１の背面側（撮像素子側）には、中間板と補助地板とがこの順でかつ所定の間隔を空けて取り付けられている。シャッタ地板１と中間板との間には、先幕を構成する複数のシャッタ羽根を移動可能に収納する先幕羽根室が形成されている。また、中間板と補助地板との間には、後幕を構成する複数のシャッタ羽根を移動可能に収納する後幕羽根室が形成されている。なお、中間板と補助地板にもシャッタ開口部１ａに対応する光通過口が形成されている。
【００２０】
シャッタ地板１におけるシャッタ開口部１ａの側方には、３つの円弧形状の長孔部１ｂ，１ｃ，１ｄが形成されている。長孔部１ｂ，１ｃの下端には、ゴムにより形成された不図示の緩衝部材が取り付けられている。また、シャッタ地板１の表面側（被写体側）には、軸部１ｅ，１ｆ，１ｇ，１ｈが設けられている。一方、シャッタ地板１の背面側には、軸部１ｉ，１ｊが設けられており、さらに表面側に設けられた軸部１ｆ，１ｇは背面側にも突出して背面側の軸部としても利用される。表面側の軸部１ｅ，１ｆ，１ｇの先端には、シャッタ地板１と平行に、図１０に示す支持板２５が取り付けられている。該支持板２５におけるシャッタ地板側には、不図示の先幕用電磁石と後幕用電磁石が取り付けられている。
【００２１】
シャッタ地板１の表面側において、軸部１ｇには、先幕主駆動部材（第２の駆動部材）３および先幕副駆動部材６が回転可能に取り付けられている。
【００２２】
先幕副駆動部材６は、図７に示すように、背面側に駆動ピン６ａを有し、周辺部に被抑止部６ｂを有する。また、先幕副駆動部材６は、シャッタ地板１の軸部１ｇが挿入される穴部６ｃを有する。先幕副駆動部材６は、後述するセットばね（第１のばね）２０によって、間接的に、図１および図３における反時計回り方向に付勢され、また、被抑止部６ｂは、図８に示す抑止部材９の抑止部９ａと当接可能である。また、駆動ピン６ａは、図７に示すように、円形の断面形状を有する根元部と、楕円形の断面形状を有する先端部とにより構成されている。根元部は、上述した緩衝部材に当接可能である。先端部は、長孔部１ｃを貫通してシャッタ地板１の背面側に突出している。
【００２３】
先幕主駆動部材３は、図６に示すように、背面側に延びるばね掛け部３ａと、先幕副駆動部材６を押すための押圧部３ｂと、シャッタ地板１の軸部１ｇが挿入される穴部３ｃと、後述するセット部材８により押される腕部３ｄとを有する。先幕主駆動部材３は、この第２の駆動部材である先幕主駆動部材３と図１０に示す先幕調整部材としての先幕ラチェット２３との間にて付勢力（第２の付勢力）を発生する先幕駆動ばね（第２のばね）２１によって、図１および図３における時計回り方向に付勢されている。  シャッタ地板１の表面側において、軸部１ｆには、後幕駆動部材２が回転可能に取り付けられている。
【００２４】
後幕駆動部材２は、その背面側に駆動ピン２ａを有する。該駆動ピン２ａは、先幕副駆動部材６の駆動ピン６ａと同じ形状を有しており、根元部が上述した緩衝部材に当接し得るとともに、先端部は長孔部１ｂを貫通してシャッタ地板１の背面側に突出している。また、後幕駆動部材２の表面側に設けられた軸部には、ローラ７が回転可能に取り付けられている。また、後幕駆動部材２は、図１０に示す後幕調整部材としての後幕ラチェット２４との間にて付勢力を発生する後幕駆動ばね２２によって、図１および図３における時計回り方向に付勢されている。
軸部１ｇおよび軸部１ｆにはそれぞれ、合成樹脂で形成された先幕ラチェット２３および後幕ラチェット２４が回動可能に取り付けられている。また、先幕主駆動部材３および後幕駆動部材２の軸受部の外周にはそれぞれ、ねじりコイルばねである先幕駆動ばね２１および後幕駆動ばね２２が配置されている。
【００２５】
先幕駆動ばね２１および後幕駆動ばね２２の一端は、先幕ラチェット２３および後幕ラチェット２４の不図示のばねかけ穴部に掛けられている。また、先幕駆動ばね２１および後幕駆動ばね２２の他端は、先幕主駆動部材３および後幕駆動部材２の一端に掛けられている。
【００２６】
また、図示はしていないが、支持板２５に設けられたラチェット爪２５ａ，２５bの先端が、先幕ラチェット２３および後幕チェット２４の外周面に形成されたラチェット歯に係合し、その回転が阻止されるようになっている。シャッタ１０６の製造時において、ラチェット爪２５ａ，２５ｂを撓ませ、それに係合するラチェット歯を選択することによって、先幕駆動ばね２１および後幕駆動ぱね２２の付勢力が調整できるようになっている。
【００２７】
シャッタ地板１の軸部１ｅには、セット部材８が回転可能に取り付けられている。セット部材８は、不図示の復帰ばねによって、図１および図３における反時計回り方向に付勢されている。また、セット部材８は、その周辺部に突起部８ａを有する。セット部材８は、クイックリターンミラー１０２を駆動するミラー駆動機構に連動するようにカメラの本体内に設けられた不図示のセット駆動部材により押されて、復帰ばねをチャージしながら図１および図３における時計回り方向に回転される。
【００２８】
また、シャッタ地板１の軸部１ｈには、抑止部材（保持部材）９が回転可能に取り付けられている。抑止部材９は、図８に示すように、抑止部９ａと、係合部９ｂと、軸部１ｈが挿入される穴部９ｃとを有する。抑止部９ａは、セット部材８が後述する初期位置およびその近傍に位置するとき以外は、先幕副駆動部材６の被抑止部６ｂの移動範囲内に存在する。
【００２９】
また、係合部９ｂは、図８に示すように二股形状を有し、セット部材８に設けられた突起部８ａを挟み込むようにしてこれと係合している。このため、抑止部材９は、係合部９ｂが図１および図３における時計回り方向に回転するセット部材８の突起部８ａにより押されることで反時計回り方向に回転し、その後、係合部９ｂが反時計回り方向に回転するセット部材８の突起部８ａにより押されることで時計回り方向に回転する。
【００３０】
次に、シャッタ地板１の背面側に配置された先幕ユニットと後幕ユニットの構成を、図２を用いて説明する。先幕ユニットは、シャッタ地板１の背面側において、軸部１ｇに回転可能に取り付けられたアーム１８と、軸部１ｊに回転可能に取り付けられたアーム１９と、これらアーム１８，１９に、その先端に向かって順に、かつそれぞれ回転可能に取り付けられた（連結された）、先幕を構成する３つのシャッタ羽根（以下、先幕シャッタ羽根という）１０，１１，１２とにより構成されている。先幕シャッタ羽根１０が、後幕との間にスリットを形成するスリット形成羽根である。アーム１８に形成された孔部には、先幕副駆動部材６の駆動ピン６ａの先端部が挿入されている。これにより、先幕副駆動部材６とアーム１８とが一体で回転するよう連結される。先幕副駆動部材６とアーム１８とにより第１の駆動部材が構成される。
【００３１】
また、アーム１８，１９と先幕シャッタ羽根１０〜１２とにより、先幕副駆動部材６の回転に伴い先幕シャッタ羽根１０〜１２を上下方向に平行移動させる平行リンク機構が構成される。
【００３２】
シャッタ地板１の軸部１ｇの外周には、ねじりコイルばねであるセットばね２０のコイル部が取り付けられている。セットばね２０の一端は、先幕主駆動部材３のばね掛け部３ａに掛けられ、他端は、図２に示すように、アーム１８の背面に設けられたばね掛け部１８ａに掛けられている。これにより、アーム１８は、セットばね２０が発生した付勢力（第１の付勢力）により、先幕主駆動部材３に対して、図２における時計回り方向、すなわち先幕シャッタ羽根１０〜１２が展開する方向（第１の位置から第２の位置に向かう方向）に付勢される。このように、セットばね２０は、第２の駆動部材である先幕主駆動部材３と、先幕副駆動部材６とともに第１の駆動部材を構成するアーム１８との間にて付勢力を発生する。
【００３３】
後幕ユニットは、シャッタ地板１の背面側において、軸部１ｆに回転可能に取り付けられたアーム１６と、軸部１ｉに回転可能に取り付けられたアーム１７と、それらの先端部に向かって順に、かつそれぞれ回転可能に取り付けられたシャッタ羽根（以下、後幕シャッタ羽根という）１３，１４，１５とにより構成されている。後幕シャッタ羽根１３が、先幕シャッタ羽根１０との間にスリットを形成するスリット形成羽根である。アーム１６に形成された孔部には、後幕駆動部材２の駆動ピン２ａの先端部が挿入されている。これにより、後幕駆動部材２とアーム１６とが一体で回転するよう連結される。
【００３４】
後幕駆動部材２と、アーム１６，１７と、後幕シャッタ羽根１３〜１５とにより、後幕駆動部材２の回転に伴い後幕シャッタ羽根１３〜１５を上下方向に平行移動させる平行リンク機構が構成される。
【００３５】
次に、図３〜図５を用いて、本実施例のシャッタ１０６の動作について説明する。カメラの電源が投入される前は、図５に示すように、先幕シャッタ羽根１０〜１２は重畳してシャッタ開口部１ａよりも下側に格納されており、後幕シャッタ羽根１３〜１５は展開してシャッタ開口部１ａを覆っている。このため、先幕主駆動部材３および先幕副駆動部材６も図５の示す位置（第４の位置および第１の位置）にあり、後幕駆動部材２も同様に図５に示す位置にある。
【００３６】
カメラの電源が投入されると、セット部材８は、前述したセット駆動部材により押されて、図３に示すセット部材８の開セット位置まで時計回り方向に回転する。このとき、セット部材８は、復帰ばねをチャージする。
【００３７】
先幕主駆動部材３は、回転するセット部材８によって腕部３ｄが押されることにより、図３に示す先幕主駆動部材３の開セット位置まで（第４の位置から第３の位置に）反時計回り方向に回転される。このとき、セット部材８は、先幕主駆動部材３を介して先幕駆動ばね２１をチャージする。
【００３８】
また、後幕駆動部材２も、回転するセット部材８によって、後幕駆動部材２に取り付けられたローラ７が押されることにより、図３に示す後幕駆動部材２の開セット位置まで反時計回り方向に回転される。これにより、後幕シャッタ羽根１３〜１５は、重畳されてシャッタ開口部１ａよりも上側に格納される。このとき、セット部材８は、後幕駆動部材２を介して後幕駆動ばねをチャージする。
【００３９】
先幕主駆動部材３と後幕駆動部材２がそれらの開セット位置に回転すると、先幕主駆動部材３と後幕駆動部材２にそれぞれ取り付けられている鉄片部材４，５が、前述した支持板に取り付けられた先幕用電磁石と後幕用電磁石に接触する。
【００４０】
また、抑止部材９は、セット部材８の突起部８ａによって係合部９ｂが押されることで、図３に示す抑止部材９の開セット位置に回転される。先幕副駆動部材６は、その被抑止部６ｂが、開セット位置に回転した抑止部材９の抑止部９ａに当接することで、図３に示す先幕副駆動部材６の開セット位置（第１の位置）にて保持される。このため、先幕シャッタ羽根１０〜１２は、重畳されてシャッタ開口部１ａよりも下側の位置に格納されたままとなる。このとき、先幕主駆動部材３のばね掛け部３ａと先幕副駆動部材６に連結されているアーム１８のばね掛け部１８ａとの間隔が狭まることにより、これらに両端が掛けられたセットばね２０がチャージされる。
【００４１】
このように、セット部材８は、先幕主駆動部材３および後幕駆動部材２をそれぞれの開セット位置に回転（移動）させながら先幕駆動ばね２１および後幕駆動ばねをチャージするとともに、抑止部材９を介して先幕副駆動部材６を開セット位置に保持することでセットばね２０をチャージする。
【００４２】
こうしてシャッタ１０６は、図３に示す開状態となる。カメラでは、このシャッタ１０６の開状態にて、ライブビュー表示が行われる。
【００４３】
この開状態において、レリーズスイッチが操作されて撮影が指示されると、コントローラ１０７は、先幕用電磁石と後幕用電磁石のコイルに通電し、これら電磁石に発生した電磁力によって鉄片部材４，５を吸着させて保持させる。
【００４４】
次に、クイックリターンミラー１０２をダウン位置からアップ位置に向かわせるミラー駆動機構の動作に連動して、前述したセット駆動部材によるセット部材８の押圧が解かれる。これにより、セット部材８は、復帰ばねの付勢力によって反時計回り方向に回転して図４に示す初期位置に向かう。そして、この初期位置への復帰動作の初期段階において、セット部材８は、先幕主駆動部材３（腕部３ｄ）と後駆動部材２（ローラ７）から離れるが、先幕主駆動部材３と後幕駆動部材２に取り付けられている鉄片部材４，５が先幕用電磁石と後幕用電磁石によって吸着されているので、先幕主駆動部材３と後幕駆動部材２はそれぞれの開セット位置にて保持される。
【００４５】
また、抑止部材９は、初期位置に回転するセット部材８によって、時計回り方向に回転される。これにより、先幕副駆動部材６の開セット位置での保持が解除される。先幕副駆動部材６は、セットばね２０の付勢力によって、その被抑止部６ｂが抑止部材９の抑止部９ａに追従するように図４における反時計回り方向に回転される。これにより、先幕副駆動部材６は、図４に示すように、展開した先幕シャッタ羽根１０〜１２がシャッタ開口部１ａを覆ってシャッタ１０６が閉状態となる位置（第２の位置）に回転する。
【００４６】
次に、セット部材８が初期位置で停止すると、コントローラ１０７は、最初に先幕用電磁石のコイルに対する通電を断ち、その所定時間後に後幕用電磁石のコイルに対する通電も断つ。
【００４７】
先幕用電磁石のコイルに対する通電が断たれると、先幕用電磁石による鉄片部材５の吸着が解かれ、先幕主駆動部材３が、先幕駆動ばね２１の付勢力によって、図５に示す位置（第４の位置）に向かって時計回り方向に急速に回転される。このとき、先幕副駆動部材６は、回転する先幕主駆動部材３により押されて、先幕主駆動部材３とともに、図５に示す位置（第１の位置）に向かって時計回り方向に回転される。
【００４８】
このとき、セットばね２０の一端と他端がそれぞれ掛けられている先幕主駆動部材３とアーム１８とは同時に同じ角度だけ回転するので、セットばね２０はチャージされない。このため、先幕駆動ばね２１に、先幕主駆動部材３および先幕副駆動部材６を駆動するために本来必要な付勢力以外に、セットばね２０をチャージするための付勢力、すなわち余計な付勢力を発生させる必要がない。
【００４９】
こうして先幕主駆動部材３とともに先幕副駆動部材６が時計回り方向に回転されると、先幕副駆動部材６に係合しているアーム１８，１９に取り付けられた先幕シャッタ羽根１０〜１２が、それぞれ隣接する先幕シャッタ羽根同士の重なりを増加させながら下方に移動し、シャッタ開口部１ａを開放していく。
【００５０】
一方、後幕用電磁石のコイルに対する通電が断たれると、後幕用電磁石による鉄片部材４の吸着が解かれ、後駆動部材２が、後幕駆動ばねの付勢力によって、図５に示す位置に向かって時計回り方向に急速に回転される。これにより、後幕駆動部材２に係合しているアーム１６，１７に取り付けられた後幕シャッタ羽根１３〜１５が、それぞれ隣接する後幕シャッタ羽根同士の重なりを減少させながら（展開しながら）下方に移動し、シャッタ開口部１ａを覆っていく。こうして先幕羽根群と後幕羽根群とが、それらのスリット形成羽根１０，１３の間にスリットを形成しながらそれぞれ重畳および展開していき、撮像素子１０５が上から下へと連続的に露光される。  
【００５１】
露光の最終段階では、図５に示すように、先幕副駆動部材６の駆動ピン６ａが先に説明した緩衝部材に当接することにより、先幕主／副駆動部材３，６と先幕シャッタ羽根１０〜１２の動作が停止し、その後、後駆動部材２の駆動ピン２ａが緩衝部材に当接し、後駆動部材２と後幕シャッタ羽根１３〜１５の動作も停止する。
【００５２】
こうして撮影のためのシャッタ１０６の動作が終了すると、次の撮影に備えるために、セット駆動部材によってセット部材８が回転され、再び図３に示す開状態に戻される。このとき、前述したように先幕駆動ばね２１および後幕駆動ばねがチャージされ、セットばね２０もチャージされる。
【００５３】
特許文献１にて開示されたシャッタのような構成を採用すると、先幕駆動ばね２１の付勢力によって、セットばねをチャージしながら所定速度で先幕を駆動しなければならないため、先幕駆動ばね２１に求められる付勢力は、セットばねがない場合と比べてかなり大きくなる。このため、セット部材を駆動して先幕駆動ばね２１をチャージする力（セットトルク）も、セットばねがない場合に比べてかなり大きくなる。
【００５４】
一方、本実施例のシャッタ１０６においては、先幕駆動ばね２１の付勢力によって、セットばねをチャージする必要がないので、先幕駆動ばね２１に求められる付勢力は、セットばねの存在にかかわらず小さくて済む。このため、セット部材８を駆動して先幕駆動ばね２１をチャージする力（セットトルク）も、小さくて済む。
【００５５】
なお、本実施例では、従来のシャッタとは異なり、チャージ時にセットばね２０もチャージする必要がある。しかし、従来のシャッタは先幕の走行と共に増加するセットばねの力で先幕の走行が影響されないように、セットばねより強い先幕駆動ばね２１の付勢力をさらに増やす必要があるのに対して、本実施例のシャッタにおいては、もともと弱いセットばね２０のトルクが単純に増えるだけである。このため、セット部材８によって先幕駆動ばね２１をチャージする力は、従来のシャッタより本実施例のシャッタの方が小さくなる。
【００５６】
以上説明した各実施例は代表的な例にすぎず、本発明の実施に際しては、各実施例に対して種々の変形や変更が可能である。
【産業上の利用可能性】
【００５７】
ライブビュー表示状態からのシャッタ動作が可能な小型のシャッタ装置およびこれを搭載したカメラを提供できる。
【符号の説明】
【００５８】
１  シャッタ地板
３  先幕主駆動部材
４，５  鉄片部材
６  先幕副駆動部材
８  セット部材
９  抑止部材
１０〜１５  シャッタ羽根
１６〜１９  アーム
２０  セットばね
２１  先幕駆動ばね
２２  後幕駆動ばね
２３  先幕ラチェット
２４  後幕ラチェット
２５  支持板
【図１】
2012150388.tif 000003
【図２】
2012150388.tif 000004
【図３】
2012150388.tif 000005
【図４】
2012150388.tif 000006
【図５】
2012150388.tif 000007
【図６】
2012150388.tif 000008
【図７】
2012150388.tif 000009
【図８】
2012150388.tif 000010
【図９】
2012150388.tif 000011
【図１０】
2012150388.tif 000012